(57)【要約】      （修正有）【課題】異なるサイズ仕様の表示パネルユニットを共通の支持部材で支持し、軽量化しながら機械的強度を保持し、組立工程や保守対応の簡易化してコスト低減を図る。【解決手段】表示パネルユニット２をベゼルユニット５に組み合わされるシャーシプレート９とトップブラケット部材１０により支持する。シャーシプレート９とトップブラケット部材１０が、サイズ仕様を異にする表示パネルユニット２ＳＳ、２ＬＬに対応して取付位置を選択されることにより、共通部品として用いられる。【選択図】図６
2007334244.tif 000002
【特許請求の範囲】
【請求項１】
表示窓を有して前部筐体を構成するベゼルユニットと、
上記ベゼルユニットの背面側に配置されて上記表示窓から有効表示領域を外方に臨ませる表示パネルユニットと、
上記表示パネルユニットの背面側に配置され下方部位を基準として上記ベゼルユニットの下方枠部に組み付けられて上記表示パネルユニットを位置決め保持するとともに、背面側にそれぞれ制御回路ユニットや駆動回路ユニットを構成する回路ユニット基板を搭載したシャーシプレートと、
上記シャーシプレートに形成したトップブラケット取付部に固定される第１取付部と上記ベゼルユニットの上方枠部に固定される第２取付部が形成され、上記表示パネルユニットの上方部位を覆うようにして上記シャーシプレートと上記ベゼルユニットの上方枠部に固定されるトップブラケット部材と、
上記シャーシプレートや上記トップブラケット部材を覆って上記ベゼルユニットの背面に組み合わされて後部筐体を構成するバックカバーとを備え、
上記トップブラケット部材の上記第１取付部が、高さ方向の位置を異にする複数の個別取付部を有しており、上記表示パネルユニットのサイズ仕様に応じて上記各個別取付部が選択されて上記シャーシプレート及び上記表示パネルユニットとの取り付けが行われることを特徴とする表示装置。
【請求項２】
上記シャーシプレートが、異なるサイズ仕様の上記表示パネルユニットに対しても、背面側の全体と対向しない外形サイズに形成されることを特徴とする請求項１記載の表示装置。
【請求項３】
上記トップブラケット部材が、異なるサイズ仕様の上記表示パネルユニットに対応して上記シャーシプレートと同一若しくは大きな厚みで形成されることを特徴とする請求項１記載の表示装置。
【請求項４】
上記表示パネルユニットを挟んで上記シャーシプレートの側方部位と相対する上記ベゼルユニットの側方部位との間に、外側部を相対する上記ベゼルユニットの側方部に固定されるとともに内側部をスピーカブラケット部材を介して上記シャーシプレートの側方部に形成したスピーカ取付部に固定されて配置される一対のスピーカユニットを備え、
上記各スピーカブラケット部材が、上記スピーカユニットと固定されるスピーカ固定部と、このスピーカ固定部との間隔を異にして形成された第１シャーシプレート固定部及び第２シャーシプレート固定部とを有し、上記表示パネルユニットのサイズ仕様に応じて上記第１シャーシプレート固定部と第２シャーシプレート固定部を選択して上記スピーカ取付部に固定されることにより、上記スピーカユニットを上記シャーシプレートに組み合わせることを特徴とする請求項１記載の表示装置。
【発明の詳細な説明】
【技術分野】
【０００１】
本発明は、表示装置に関し、特に液晶表示パネル等の平面型表示パネルを備えた表示装置に関する。
【背景技術】
【０００２】
表示装置、例えば液晶表示パネル（Liquid Crystal Display Panel）やプラズマ表示パネル（Plasma Display Panel）或いはエレクトロ・ルミネッセンス・表示パネル（Electtro Luminescent Light Source Display Panel）等の表示パネルを用いた表示装置は、従来のＣＲＴディスプレィ（Cathode-Ray Display）を用いた表示装置と比較して薄型軽量化を保持して大型表示画面化が図られる。例えば液晶表示装置は、一般に液晶表示パネルユニットや回路ユニット或いはスピーカユニット等を表示開口部を有して前部筐体を構成するベゼルユニットと後部筐体を構成するバックカバー内に収納し、スタンドに組み合わせて構成する。
【０００３】
表示装置においては、大型化に伴って重量も大きくなる表示パネルユニット等を取り付けるために、ベゼルユニットやバックカバーが金属プレート等の補強部材を設けるとともに取付部を大型化する等の対応により比較的大きな機械的剛性を有して形成されることで薄型軽量化或いは小型化の実現が困難となる。例えば特許文献１には、フロントケースにパネル保持手段を跨設し、フロントケースとパネル保持手段とにより表示パネルを挟装することによりフロントカバーの薄型化やリアカバーの軽量薄型化を図った表示装置が開示されている。
【０００４】
【特許文献１】特開２００３−１５００７６号公報
【発明の開示】
【発明が解決しようとする課題】
【０００５】
ところで、表示装置においては、商品の短サイクル化或いは多様化が進んでおり、これに対応する部材費の低コスト化や組立工程の簡易化によるコスト低減或いは開発期間の短縮化が求められている。また、表示装置においては、例えば液晶表示パネルを照明するバックライトユニットの光源交換や回路ユニットの電部品交換等の保守が行われるが、構成各部材の着脱作業等を簡易に行う保守性の向上も求められる。
【０００６】
一方、表示装置においては、一般に同系商品群として表示パネルのサイズ仕様を異にしたものがほぼ同時に提供されるが、これら同系商品が例えば回路ユニットの共通化が図られても前部筐体部材と後部筐体部材ばかりでなく表示パネルを保持する保持パネルも機構部品としてそれぞれのサイズ仕様に応じて全く別部品としてそれぞれ製造されていた。表示装置においては、内蔵部品である保持パネルが表示パネルの位置決め部材或いは回路基板等の取付部材としても機能することから比較的精密かつ複雑な形状に形成され、また大型化に伴ってこれを形成するプレス金型が極めて高価であることから、高価な部品となっていた。
【０００７】
表示装置においては、筐体に加えるゆらし負荷に対して充分な機械的剛性が保持されるように構成される。従来の表示装置においては、大型で重量が大きな仕様の表示パネルユニットを用いる場合に、厚みの大きな保持パネルを用いることによりその対応が図られていた。従来の表示装置においては、このために表示パネルのサイズ仕様に応じた保持パネルが備えられ、コストアップとともに重量も大きくなってしまうといった問題があった。
【０００８】
従来の表示装置においては、一般にベースとなるフロントカバーに対して、表示パネルと回路ユニットと保持部材とバックカバーとを順次積層するようにして組み合わせて固定する工程等により組立が行われていた。したがって、従来の表示装置においては、例えばバックライトユニットの光源交換等の保守を行う場合に、立てた状態で上述した各部材が組立順序と逆の順序により取り外されるために極めて面倒であるとともに重量の大きな表示パネルを保持する負担が極めて大きいといった問題があった。
【０００９】
したがって、本発明は、上述した従来の表示装置が有する種々の問題を解決し、表示パネルユニットを保持する機構をシャーシプレートとトップブラケット部材により構成して異なるサイズ仕様の表示パネルユニットに対して共通部品化が図られるようにして、コスト低減と開発期間の短縮化或いは機械的剛性を保持して軽量を図りかつ組立工程や保守対応の簡易化を図る表示装置を提供することを目的とする。
【課題を解決するための手段】
【００１０】
上述した目的を達成する本発明にかかる表示装置は、表示窓を有して前部筐体を構成するベゼルユニットと、ベゼルユニットの背面側に配置されて表示窓から有効表示領域を外方に臨ませる表示パネルユニットと、シャーシプレートと、表示パネルユニットの上方部位を覆うようにしてシャーシプレートとベゼルユニットを組み合わすトップブラケット部材と、シャーシプレートやトップブラケット部材を覆ってベゼルユニットの背面に組み合わされて後部筐体を構成するバックカバーとを備える。
【００１１】
表示装置は、シャーシプレートが、表示パネルユニットの背面側に配置されて下方部位を基準としてベゼルユニットの下方枠部に組み合わされることにより表示パネルユニットを位置決め保持するとともに、背面側にそれぞれ制御回路ユニットや駆動回路ユニットを構成する回路ユニット基板を搭載する。表示装置は、トップブラケット部材が、シャーシプレートに形成したトップブラケット取付部に固定される第１取付部と、ベゼルユニットの上方枠部に固定される第２取付部を有する。
【００１２】
表示装置においては、表示パネルユニットをベゼルユニットに保持する保持部材が、シャーシプレートとトップブラケット部材とにより分割されて構成される。表示装置においては、トップブラケット部材の第１取付部が、表示パネルユニットのサイズ仕様に対応して高さ方向の位置を異にする複数の個別取付部を有して形成される。表示装置においては、トップブラケット部材が、表示パネルユニットのサイズ仕様に応じて第１取付部の各個別取付部を選択されてシャーシプレートに組み合わされる。
【００１３】
したがって、表示装置においては、異なるサイズ仕様の表示パネルユニットに対して支持部材を構成するシャーシプレートとトップブラケット部材が共通部品として用いられて表示パネルユニットを保持する。また、表示装置においては、例えば大型でかつ重量が大きな表示パネルユニットを備えることにより特に大きな支持強度が必要となる場合でも、シャーシプレートを共通部品として用いてトップブラケット部材のみが機械的強度が大きな仕様ものと交換される。表示装置においては、シャーシプレートが、表示パネルユニットや回路ユニット基板等の重量が負荷される下方部位を基準としてベゼルユニットに組み付けられるとともにシャーシプレートとトップブラケット部材との固定位置で調整を行うことにより構成各部材が精密に組み合わされる。表示装置においては、シャーシプレートとトップブラケット部材を取り外すことによりベゼルユニットに組み合わせた状態のままで表示パネルユニットが露出され、保守対応の簡易化が図られる。
【発明の効果】
【００１４】
本発明にかかる表示装置によれば、シャーシプレートと取付位置の調整可能な取付部を有するトップブラケット部材により表示パネルユニットの保持部材を構成することから、これらシャーシプレートとトップブラケット部材が異なるサイズ仕様の表示パネルユニットに対しても共通部品として用いられ、コスト低減と開発期間の短縮化を図ることが可能となる。また、表示装置によれば、シャーシプレートとトップブラケット部材との取付位置で調整を行うことにより、組立工程の簡易化と構成各部材の高精度の位置決めを行うことが可能となるとともに保守性の向上が図られる。さらに、表示装置によれば、必要に応じて表示パネルユニットの仕様に応じたトップブラケット部材のみを交換して用いることにより、シャーシプレートを共通部品として用いて所定の機械的剛性を有する機構部を構成することが可能となる。
【発明を実施するための最良の形態】
【００１５】
以下、本発明の実施の形態として示す表示装置１について、図面を参照して詳細に説明する。表示装置１は、大型表示画面を有する例えば透過型液晶表示パネルユニット２（以下、表示パネルユニット２と略称する。）を備え、テレビジョン受信機や各種の画像表示装置として用いられる。なお、表示装置１は、表示パネルユニット２が透過型液晶表示パネルユニットに限定されず、例えばプラズマ表示パネルやエレクトロ・ルミネッセンス・表示パネル等の平面型表示パネルを備えたものであってよい。
【００１６】
表示装置１は、図１乃至図３に示すように表示パネルユニット２を搭載して正面形状が横長矩形を呈する装置本体部３と、この装置本体部３を支持するスタンド部４とから構成される。表示装置１は、装置本体部３が、表示開口部５Ａが形成されたベゼルユニット５と、このベゼルユニット５の背面側に組み合わされるバックカバー６とにより筐体を構成して内部に表示パネルユニット２を収納する。表示装置１は、表示開口部５Ａを挟んだ両側に位置して左右一対のスピーカユニット７Ｌ、７Ｒが筐体内に収納される。
【００１７】
表示装置１は、図２に示すように適宜の合成樹脂材により全体略横長矩形の浅皿状に形成されたバックカバー６が、詳細を省略するが外周縁に沿って形成されたフランジ部をベゼルユニット５の背面側に組み合わされる。バックカバー６には、詳細を省略するが電源コードやアンテナケーブル等の接続部或いは入出力端子部やコントロールボックスの操作部等を外方に臨ませる開口部が適宜形成されるとともに、放熱用のスリットが形成されている。
【００１８】
表示装置１は、スタンド部４が詳細を省略するが金属プレートを内蔵してある程度の重量を有するとともに比較的大きな設置面積を有しており、ベゼルユニット５と表示パネルユニット２を組み合わせて装置本体部３を安定した状態で床面等に設置した状態が保持されるようにする。スタンド部４は、ベゼルユニット５の下方枠部５Ｄを組み合わせて支持するとともに、図３に示すように後述する左右ステー１１Ｌ、１１Ｒを支持するステー支持部４Ｌ、４Ｒが設けられている。
【００１９】
なお、表示装置１は、スタンド部４が従来の表示装置に備えられているスタンドを備えるようにしてもよいことは勿論である。また、表示装置１は、スタンド部４に代えて例えばバックカバー部材６の背面部に適宜の構造の壁掛けブラケット部材を組み合わせることが可能であり、この壁掛けブラケット部材を介して装置本体部３を壁掛け型として用いられる。
【００２０】
表示装置１は、表示パネルユニット２が外周部をベゼルユニット５に保持されて組み合わされる。表示装置１は、図４に示すようにそれぞれ制御回路ユニットや電源回路ユニット等を構成する多数個の回路ユニット基板８がベゼルユニット５とともに詳細を後述するシャーシプレート９に搭載される。表示装置１は、シャーシプレート９が、各回路ユニット基板８を背面側に搭載するとともにその下方部位を基準としてステー１１を介して同図に示すようにベゼルユニット５の下方枠部５Ｄに組み合わされる。表示装置１は、シャーシプレート９が、上方部位を詳細を後述するトップブラケット部材１０を介してベゼルユニット５の上方枠部５Ｕに組み合わされる。表示装置１は、シャーシプレート９が左右ステー１１Ｌ、１１Ｒからなるステー１１を介して下方部をスタンド部４と組み合わされることにより、回路ユニット基板８の支持部材として機能するとともに表示パネルユニット２を背面側から保持する保持部材としても機能する。
【００２１】
表示装置１は、詳細を後述するように異なるサイズ仕様の表示パネルユニット２、例えば５２インチサイズの表示パネルユニット２ＳＳを備えた表示装置１ＳＳと５７インチサイズの表示パネルユニット２ＬＬを備えた表示装置１ＬＬとの２機種に展開される。表示装置１においては、かかる表示装置１ＳＳと表示装置１ＬＬとにおいて、少なくともベゼルユニット５やバックカバー６がそれぞれ表示パネルユニット２のサイズ仕様に応じて形成された別部材のベゼルユニット５ＳＳ、５ＬＬ及びバックカバー６ＳＳ、６ＬＬが用いられるが、後述するように構成されたシャーシプレート９とトップブラケット部材１０が共通部品として用いられる。
【００２２】
表示装置１は、表示パネルユニット２が、詳細を省略するが液晶表示パネル（以下、液晶パネルと略称する。）と、この液晶パネルに背面側から照明光を供給するバックライトユニットと、液晶パネルとバックライトユニットを積層状態に収納したパネル枠体等により構成される。表示パネルユニット２は、パネル枠体がベゼルユニット５に保持されて組み合わされ、この状態で液晶パネルの表示面の有効表示領域が表示開口部５Ａから外方に臨ませられる。
【００２３】
表示パネルユニット２は、周知のようにバックライトユニットから供給される照明光を液晶パネルにおいて変調して選択的に透過させることにより、所望の画像表示が行われるようにする。表示パネルユニット２においては、バックライトユニットが、光源として冷陰極蛍光ランプと比較して長寿命、低電力消費、高輝度特性等を有する多数個の赤色、緑色及び青色の３色の発光ダイオード（LED:Light Emitting Diode）を備えている。
【００２４】
表示パネルユニット２は、図５に示すように背面部に積層されてバックライトユニットの基板を構成するベースプレート１２を備える。ベースプレート１２は、バックライトユニットの各発光ダイオードから発生する熱を放熱する放熱プレートの機能も奏すめために熱伝導率が大きいアルミ板等により形成される。ベースプレート１２は、同図に示すように中央部の上端部位に形成した切欠きを介して接続端子部１３を背面側へと露出させるとともに、両側に駆動回路ユニット１４Ｌ、１４Ｒが組み合わされる。
【００２５】
ベースプレート１２には、中央部位を挟んだ両側に位置して後述するようにシャーシプレート９を取り付けるシャーシプレート取付部１５Ｌ、１５Ｒが形成されている。シャーシプレート取付部１５は、それぞれ高さ方向に所定の間隔を以って並んで形成された３個の取付部１５Ｌ１〜１５Ｌ３、１５Ｒ１〜１５Ｒ３により構成される。シャーシプレート取付部１５は、各取付部が、背面側に突出する略円錐台形状の台座部と、この台座部に形状された取付孔とを有して形成される。
【００２６】
ベースプレート１２は、各シャーシ取付部１５Ｌ、１５Ｒを介してシャーシプレート９を固定することにより、表示パネルユニット２をシャーシプレート９に組み合わせる。表示パネルユニット２においても、信頼性が高く寿命が長い発光ダイオードを光源とすることにより発生頻度が大幅に低減されるが、例えば発光ダイオード不良や断線等によるバックライトユニットの保守を行う必要がある。表示装置１においては、後述する組立構造を採用することにより表示パネルユニット２から回路ユニット基板８を搭載したシャーシプレート９を独立して取り外すことが可能であり、保守作業が簡易に行われる。
【００２７】
表示装置１は、ベゼルユニット５が、詳細を省略するが図１及び図３、図４に示すように、前面パネル１６と、ベゼル１７と、前面ガラス１８と、化粧枠体１９等の部材を組み合わせて構成される。ベゼルユニット５は、ベゼル１７の前面側に前面ガラス１８の外周部位を挟み込むようにして前面パネル１６が組み合わされ、ベゼル１７の外周部に全周に亘って化粧枠体１９が組み合わされて構成される。ベゼルユニット５は、前面パネル１６と化粧枠体１９が外装体を構成する。
【００２８】
ベゼル１７は、例えばポリカーボネート樹脂やＡＢＳ樹脂等の合成樹脂材により表示開口部５Ａを開口して全体略枠状に形成された取付フランジ部と、この取付フランジ部の外周部に全域に亘って一体に立設された外周壁部とから構成される。ベゼル１７には、詳細を省略するが取付フランジ部の背面側にそれぞれ取付孔を有する多数個の取付用スタッドが一体に形成されている。ベゼル１７には、これら取付用スタッドを介して表示パネルユニット２やバックカバー６或いはシャーシプレート９やスピーカユニット７Ｌ、７Ｒ等の構成各部材が組み合わされるとともに、下方枠部５Ｄをスタンド部４に組み合わされる。
【００２９】
表示装置１は、上述した表示パネルユニット２の駆動回路ユニット１４とともに、高周波信号受信処理回路ユニットや音声信号処理回路ユニット或いは表示パネルユニット２や各部に電源を供給する電源回路ユニット等の様々な回路ユニットを備えている。表示装置１は、上述したように各回路ユニット毎に回路素子や電子部品を回路基板に搭載してそれぞれ回路ユニット基板８としてユニット化する。表示装置１においては、各回路ユニット基板８が、それぞれシャーシプレート９の背面やベゼル１７の取付フランジ部等に搭載される。表示装置１は、サイズ仕様を異にする表示パネルユニット２ＳＳ、２ＬＬを用いた場合でも、ほぼ共通の回路ユニット基板８が用いられる。
【００３０】
表示装置１においては、表示パネルユニット２やスピーカユニット７Ｌ、７Ｒ或いは各種入出力ターミナル等と各回路ユニット基板８とが、シャーシプレート９に組み合わせたコネクタ等を介して電気的に接続される。したがって、表示装置１においては、かかる構成により組立時や保守時に各部に対して対応する回路ユニット基板８を個別に着脱することなく、シャーシプレート９の着脱により一括して着脱が行われるようになり作業性の大幅な向上が図られるようになる。表示装置１においては、特に大型で重量が大きくかつベゼルユニット５に対して位置決め等が必要な表示パネルユニット２の取外し操作を独立して行うことが可能となり、作業者の負担も大幅に軽減される。
【００３１】
表示装置１は、左右のスピーカユニット７Ｌ、７Ｒが、表示パネルユニット２の両側に位置してベゼルユニット５とシャーシプレート９に組み合わされる。スピーカユニット７Ｌ、７Ｒは、小型の表示パネルユニット２ＳＳを搭載した表示装置１ＳＳと、大型の表示パネルユニット２ＬＬを搭載した表示装置１ＬＬに搭載される場合に、詳細を後述するようにそれぞれスピーカブラケット部材２０Ｌ、２０Ｒを用いて取付位置が調整されて組み合わされることにより共通部品として用いられる。
【００３２】
表示装置１は、シャーシプレート９が、比較的軽量で所定の厚みを有することにより所定の機械的強度を有する金属材、例えばアルミ板やスチール板等により図３及び図６に示すように横長矩形の板状に形成される。シャーシプレート９は、その外形仕様が、小型の表示パネルユニット２ＳＳと大型の表示パネルユニット２ＬＬに対しても図３及び図４に示すようにやや小さな高さ寸法と長さ寸法を有して形成される。したがって、シャーシプレート９は、表示装置１ＳＳ及び表示装置１ＬＬに共通して用いられる場合において、それぞれに搭載された表示パネルユニット２ＳＳ、２ＬＬに対して全面に亘って対向されずに組み合わされる。シャーシプレート９は、後述するようにその両側部位とベゼル１７の両側部位との間においてスピーカブラケット部材２０Ｌ、２０Ｒを用いてスピーカユニット７Ｌ、７Ｒを組み合わせるようにする。
【００３３】
シャーシプレート９は、上述したようにベースプレート１２と対向して表示パネルユニット２の背面に組み合わされることから、機械的強度を損なわない範囲で多数個の透孔が形成され軽量化とともにベースプレート１２から放熱される熱が内部に籠らないように構成される。シャーシプレート９には、図４及び図６に示すように下方領域の中央部を挟んだ両側に位置して後述する左右ステー１１Ｌ、１１Ｒの下方部を取り付ける下方ステー取付部２２ＬＤ、２２ＲＤが形成されている。また、シャーシプレート９には、図６に鎖線で図示したこれら下方ステー取付部２２ＬＤ、２２ＲＤの上方領域が詳細を省略する取付部を設けて、左右ステー１１Ｌ、１１Ｒを取り付ける左右ステー取付部２２Ｌ、２２Ｒを構成する。
【００３４】
シャーシプレート９には、適宜の位置に詳細を省略するが略馬の背状に切り起こし形成した多数個の取付ブリッジ片が形成され、これら取付ブリッジ片が上述した各回路ユニット基板８をそれぞれ組み合わせる基板取付部を構成する。シャーシプレート９には、中央部の上方部位に位置して切欠き２３が形成されており、表示パネルユニット２と組み合わせた状態でこの切欠き２３を介して上述したベースプレート１２の背面に露出された接続端子部１３を背面側へと臨ませる。
【００３５】
シャーシプレート９には、左右ステー取付部２２Ｌ、２２Ｒの外側に沿った領域に上述した表示パネルユニット２のベースプレート１２に設けた各シャーシプレート取付部１５Ｌ、１５Ｒに対応して表示パネル取付部２４Ｌ、２４Ｒが形成されている。表示パネル取付部２４は、シャーシプレート取付部１５Ｌ、１５Ｒの各取付部１５Ｌ１〜１５Ｌ３、１５Ｒ１〜１５Ｒ３に対向して、それぞれ略馬の背状に切り起こし形成され取付孔を有する高さ方向に並んだ３個の取付部２４Ｌ１〜２４Ｌ３、２４Ｒ１〜２４Ｒ３により構成される。
【００３６】
シャーシプレート９は、後述するように表示パネルユニット２に組み合わされた状態で表示パネル取付部２４の各取付部２４Ｌ１〜２４Ｌ３、２４Ｒ１〜２４Ｒ３が、上述したベースプレート１２側のシャーシプレート取付部１５の相対する各取付部１５Ｌ１〜１５Ｌ３、１５Ｒ１〜１５Ｒ３と対向位置してそれぞれの取付孔が同一線上に位置されるようにする。シャーシプレート９は、背面側から各取付部２４の取付孔に取付ねじをねじ込むことにより、表示パネルユニット２と一体化される。
【００３７】
シャーシプレート９には、上述した切欠き２３の上縁に沿って、左右一対のトップブラケット取付部２５Ｌ、２５Ｒが形成されている。トップブラケット取付部２５は、図８に示すように上縁から背面側に突出し先端部を上方へと折曲した取付孔を有する略Ｌ字状のブラケット片により構成される。シャーシプレート９は、後述するようにトップブラケット取付部２５に対してトップブラケット部材１０がその第１取付部２９を選択されて組み合わされ、取付ねじにより固定される。
【００３８】
シャーシプレート９には、両側方部の高さ方向の略中央位置に後述するスピーカブラケット部材２０Ｌ、２０Ｒをそれぞれ固定する第１スピーカ取付部２６Ｌ、２６Ｒが形成される。シャーシプレート９には、下端部が長さ方向のほぼ全域に亘って前方に突出して略クランク状に折曲してベゼルユニット５の下方枠部５Ｄに組み合わされる下部係合部２８が形成されている。
【００３９】
以上のように構成されたシャーシプレート９には、図４に示すように背面側から、各ステー取付部２２を介して左右ステー１１Ｌ、１１Ｒが組み合わされるとともに各基板取付部を介して各回路ユニット基板８が組み合わされ、各取付部に取付ねじがねじ込まれてこれらステー１１や各回路ユニット基板８を背面側に固定する。シャーシプレート９には、図示を省略するがコネクタや入出力コネクタが取り付けられる。
【００４０】
シャーシプレート９は、例えば組立治具上おいて位置決めされたベゼルユニット５に組み合わされた表示パネルユニット２上に積層するようにして組み合わされる。シャーシプレート９は、ベゼルユニット５の下方枠部５Ｄに下部係合部２８が相対係合されることにより位置決めされて組み合わされるとともに、各ステー１１をスタンド部４に取り付けることによりこのスタンド部４に組み合わされる。シャーシプレート９は、各ステー１１とともに比較的重量の大きな表示パネルユニット２の支持部材を構成するとともに、回路ユニット基板８等を搭載することによりこれ自体の重量も大きくなる。シャーシプレート９は、ベゼルユニット５の下方枠部５Ｄに下部係合部２８を係合することにより、重量が負荷される下方部位を基準としてベゼルユニット５の下方枠部５Ｄを介してスタンド部４に組み合わされることで精密な組立を行うことが可能となる。
【００４１】
なお、シャーシプレート９は、上述した構成に限定されないことは勿論であり、例えば各基板取付部が主面からやや突出するようにして形成された取付孔を有する略馬の背状のブリッジ片によって構成したが、それぞれ絶縁・断熱ブッシュを嵌め込んだ取付ねじを取付孔にねじ込んで回路ユニット基板８を実装するようにしてもよい。シャーシプレート９は、例えば多数個の舌片状凸部を一体に形成し、これら舌片状凸部により回路ユニット基板８の外周部を位置決めして取付ねじによる固定位置を減らして組立性の向上を図るようにしてもよい。シャーシプレート９は、表示パネルユニット２のベースプレート１２と接続されるシートシンクや冷却ファン等の放熱手段を搭載するようにしてもよい。
【００４２】
表示装置１においては、複数の回路ユニット基板８を搭載するとともに表示パネルユニット２に固定されるシャーシプレート９が、その上端部位をトップブラケット部材１０を介してベゼルユニット５の上方枠部５Ｕに組み合わされる。表示装置１においては、トップブラケット部材１０を介してシャーシプレート９の上端部位を長さ方向の全域に亘ってベゼルユニット５の上方枠部５Ｕに固定することにより、筐体に加えられるゆらし負荷に対する耐性が保持されるとともに、組立或いは保守時の作業性の向上が図られる。
【００４３】
トップブラケット部材１０も、金属材、例えばアルミ板やスチール板により図３及び図６に示すように横長矩形の板状に形成される。トップブラケット部材１０は、シャーシプレート９とほぼ等しい長さ寸法を有するとともに、サイズ仕様を異にする表示パネルユニット２ＳＳ、２ＬＬに対してもシャーシプレート９の上端部とベゼルユニット５の上方枠部５Ｕとの間に構成される間隙よりも大きな高さ寸法を有して形成される。トップブラケット部材１０は、シャーシプレート９とともに小型表示パネルユニット２ＳＳを備える表示装置１ＳＳ及び大型表示パネルユニット２ＬＬを備える表示装置１ＬＬに共通して用いられて、共通部品として用いられるシャーシプレート９の上端部位を長さ方向の全域に亘ってベゼルユニット５の上方枠部５Ｕにしっかりと組み合わせる。
【００４４】
トップブラケット部材１０は、表示パネルユニット２の上方を覆うようにして、上端部位をベゼルユニット５に固定されるとともに下方部位をシャーシプレート９に重ね合わせて固定される。トップブラケット部材１０にも、機械的強度を損なわない範囲で多数個の透孔が形成されて軽量化が図られるとともに表示パネルユニット２から放熱される熱が内部に籠らないように構成される。
【００４５】
トップブラケット部材１０には、シャーシプレート９を組み合わせる左右第１取付部２９Ｌ、Ｒと、ベゼルユニット５を組み合わせる第２取付部３０が形成される。トップブラケット部材１０は、小型の表示装置１ＳＳと大型の表示装置１ＬＬに用いられる場合でも第２取付部３０を介してベゼルユニット５に対する取付位置が変わらないことから、第１取付部２９が、上下方向に離間して設けられた下個別取付部２９ＳＳと上個別取付部２９ＬＬとから構成されてシャーシプレート９との取付位置が調整される。
【００４６】
すなわち、第１取付部２９は、トップブラケット部材１０の長さ方向の略中央部に位置して、トップブラケット部材１０をシャーシプレート９に組み合わせた状態で上述したシャーシプレート９側の切欠き２３の上縁に形成されたトップブラケット取付部２５に対向して形成される。第１取付部２９は、小型の表示装置１ＳＳが用いられた場合にトップブラケット取付部２５と対向してシャーシプレート９との取付部を構成する下個別取付部２９ＳＳと、大型の表示装置１ＬＬが用いられた場合にトップブラケット取付部２５と対向してシャーシプレート９との取付部を構成する上個別取付部２９ＬＬとからなる。
【００４７】
第１取付部２９は、図６に示すように、下個別取付部２９ＳＳが、上述したシャーシプレート９側の各トップブラケット取付部２５Ｌ、２５Ｒに対応して中央部を挟んで左右に形成された一対の下個別取付部２９ＳＳＬ、２９ＳＳＲとからなる。第１取付部２９は、同様にして上個別取付部２９ＬＬが、それぞれ下個別取付部２９ＳＳＬ、２９ＳＳＲの上方に位置して中央部を挟んで左右に形成された一対の上個別取付部２９ＬＬＬ、２９ＬＬＲとから構成される。第１取付部２９は、各取付部が、図６及び図８に示すようにそれぞれ前面側に略馬の背状に切り起こし形成した取付孔を有する取付ブリッジ片により構成される。
【００４８】
トップブラケット部材１０は、第２取付部３０が、図６に示すように上端部を長さ方向のほぼ全域に亘って前方に突出する略クランク状に折曲して形成される。第２取付部３０は、詳細を省略するがベゼルユニット５の上方枠部５Ｕに係合されるとともに適宜の位置で取付ねじにより固定される。第２取付部３０は、小型の表示装置１ＳＳと大型の表示装置１ＬＬに用いられる場合でも、ベゼルユニット５に対する取付位置が変わらないことから、上述した第１取付部２９のように２つの個別取付部を形成する必要は無い。第２取付部３０は、上述したようにクランク状に折曲された係合部の構成に限定されず、ベゼルユニット５の上方枠部５Ｕと適宜の構造を以って組み合わされればよい。
【００４９】
トップブラケット部材１０においては、上述したように第１取付部２９の下個別取付部２９ＳＳと上個別取付部２９ＬＬとにより、表示パネルユニット２として５２インチサイズの表示パネルユニット２ＳＳと５７インチサイズの表示パネルユニット２ＬＬとのサイズ差に応じてシャーシプレート９との組み合わせが行われる。なお、トップブラケット部材１０は、例えばさらに他のサイズ仕様の表示パネルユニット２を備える表示装置１にも共通部品として用いられる場合に、シャーシプレート９と共同して当該表示パネルユニット２の高さ寸法に対応可能な高さを有するとともに、各取付部に当該サイズに適応する個別取付部を有する第１取付部２９が形成される。
【００５０】
以上のように構成されたトップブラケット部材１０は、表示パネルユニット２に組み合わされるとともに回路ユニット基板８等を実装したシャーシプレート９がステー１１を介してベゼルユニット５に組み合わされた状態において、このシャーシプレート９の上端部位に対向位置されて前面側に主面を重ね合わせるようにして組み合わされる。トップブラケット部材１０は、この状態で図４に示すようにシャーシプレート９及びベゼルユニット５に対して、各第１取付部２９がシャーシプレート９側の相対するトップブラケット取付部２５と対向位置するとともに、第２取付部３０がベゼルユニット５の上方枠部５Ｕに組み合わされる。
【００５１】
トップブラケット部材１０は、シャーシプレート９と比較して大きな重量負荷が直接加わらないことから、上述したシャーシプレート９側の下部係合部２８と比較して第２取付部３０を比較的簡易な構造によりベゼルユニット５の上方枠部５Ｕに組み合わされる。トップブラケット部材１０は、サイズ仕様を異にする表示パネルユニット２Ｓ、２Ｌに対しても、第２取付部３０が共用されてベゼルユニット５Ｓ、５Ｌの上方枠部５Ｕに組み合わされる。
【００５２】
ステー１１は、上述したようにステー取付部２２Ｌ、２２Ｒを介してシャーシプレート９の背面側に固定されるとともに、下端部をスタンド部４に設けたステー支持部４Ｌ、４Ｒと組み合わされる左右一対の左ステー１１Ｌと右ステー１１Ｒとからなる。各ステー１１は、例えば機械的剛性が大きなアルミ材やスチール材の金属材を素材として略チャンネル状に形成され、外周縁に沿って適宜形成した取付片部がステー取付部２２Ｌ、２２Ｒの各取付部位に位置決めされてシャーシプレート９に組み合わされる。各ステー１１は、図４に示すように中央部を挟む両側位置において、互いに高さ方向に平行な状態でシャーシプレート９に組み合わされる。
【００５３】
各ステー１１には、詳細を省略するが下方部位に上述したスタンド部４側のステー支持部４Ｌ、４Ｒがそれぞれ嵌合される嵌合部１１ＬＡ、１１ＲＡが形成される。各ステー１１は、これら嵌合部１１ＬＡ、１１ＲＡにステー支持部４Ｌ、４Ｒが相対嵌合されて取付ねじで固定されることによりスタンド部４と一体化される。各ステー１１は、ステー取付部２２Ｌ、２２Ｒを介してシャーシプレート９と組み合わされ、このシャーシプレート９を介して表示パネルユニット２がスタンド部４に支持されるようにする。
【００５４】
表示装置１においては、上述したように表示パネルユニット２の支持部材を、分割されかつサイズ仕様を異にする表示パネルユニット２ＳＳ、２ＬＬを備える小型の表示装置１ＳＳと大型の表示装置１ＬＬとに共通部品として用いられるシャーシプレート９とトップブラケット部材１０とにより構成する。表示装置１においては、小型の表示装置１ＳＳと大型の表示装置１ＬＬであっても、シャーシプレート９がステー１１を介して下方部位を基準としてベゼルユニット５ＳＳ、５ＬＬと表示パネルユニット２ＳＳ、２ＬＬに組み合わされる。表示装置１においては、表示パネルユニット２がシャーシプレート９とトップブラケット部材１０により確実に保持される。
【００５５】
小型の表示装置１ＳＳにおいては、図４及び図７、図８に示すようにトップブラケット部材１０が、第１取付部２９の下個別取付部２９ＳＳを介してシャーシプレート９に組み合わされる。小型の表示装置１ＳＳにおいては、トップブラケット部材１０が、上述したようにシャーシプレート９の背面側に重ね合わされた状態で第２取付部３０をベゼルユニット５の上方枠部５Ｕに相対係合される。小型の表示装置１ＳＳにおいては、この状態でトップブラケット部材１０が、第１取付部２９の下個別取付部２９ＳＳをシャーシプレート９のトップブラケット取付部２５と対向位置される。
【００５６】
小型の表示装置１ＳＳにおいては、シャーシプレート９の背面側から各トップブラケット取付部２５の取付孔に嵌挿した取付ねじを第１取付部２９の下個別取付部２９ＳＳの取付孔にねじ込むことにより、図７及び図９に示すようにシャーシプレート９に対してトップブラケット部材１０を固定する。小型の表示装置１ＳＳにおいては、上述したようにステー１１を介してベゼルユニット５の下方枠部５Ｄに組み合わされたシャーシプレート９が、その上方部位を長さ方向の全域に亘ってトップブラケット部材１０を介してベゼルユニット５の上方枠部５Ｕに組み合わされることにより、確実に保持される。したがって、小型の表示装置１ＳＳにおいては、シャーシプレート９が上方部位をトップブラケット部材１０を介してベゼルユニット５の上方枠部５Ｕに組み合わされることにより、このシャーシプレート９を介して表示パネルユニット２ＳＳがその上方部位をベゼルユニット５の上方枠部５Ｕに対してしっかりと組み合わされることになる。
【００５７】
一方、大型の表示装置１ＬＬにおいては、図９乃至図１１に示すようにトップブラケット部材１０がシャーシプレート９に対して上述した小型の表示装置１ＳＳよりも上方へとスライドした状態で重ね合わされる。大型の表示装置１ＬＬにおいては、トップブラケット部材１０が第１取付部２９の上個別取付部２９ＬＬを介してシャーシプレート９に組み合わされる。大型の表示装置１ＬＬにおいても、トップブラケット部材１０が、上述したようにシャーシプレート９の背面側に重ね合わされた状態で第２取付部３０をベゼルユニット５の上方枠部５Ｕに相対係合される。
【００５８】
大型の表示装置１ＬＬにおいては、シャーシプレート９の背面側から各トップブラケット取付部２５の取付孔に嵌挿した取付ねじを第１取付部２９の相対する上個別取付部２９ＬＬの取付孔にねじ込むことにより、図１０及び図１１に示すようにシャーシプレート９に対してトップブラケット部材１０を固定する。大型の表示装置１ＬＬにおいても、上述したようにステー１１を介してベゼルユニット５の下方枠部５Ｄに組み合わされたシャーシプレート９が、その上方部位を長さ方向の全域に亘ってトップブラケット部材１０を介してベゼルユニット５の上方枠部５Ｕに組み合わされることにより、確実に保持される。したがって、大型の表示装置１ＬＬにおいても、シャーシプレート９が上方部位をトップブラケット部材１０を介してベゼルユニット５の上方枠部５Ｕに組み合わされることにより、このシャーシプレート９を介して表示パネルユニット２ＬＬがその上方部位をベゼルユニット５の上方枠部５Ｕに対してしっかりと組み合わされることになる。
【００５９】
表示装置１においては、上述したように小型の表示パネルユニット２ＳＳと大型の表示パネルユニット２ＬＬを共通して支持するとともに複数の回路ユニット基板８を搭載する大型で複雑な形状のシャーシプレート９をトップブラケット部材１０と組み合わせて共通部品として用いられることにより、コスト低減と開発期間の短縮化を図ることが可能となる。表示装置１においては、シャーシプレート９が、下方部位を基準としてベゼルユニット５に組み合わせが行われるとともにトップブラケット部材１０の取付位置で調整を行うことが可能であることから、組立工程の簡易化と構成各部材の高精度の位置決めを行うことが可能となる。
【００６０】
また、表示装置１においては、トップブラケット部材１０を取り外した状態でコネクタを外すとともに表示パネル取付部２４の取付ねじを外してシャーシプレート９の取外し操作を行うことにより、ベゼルユニット５に組み合わせた状態のままで表示パネルユニット２が露出されるようにする。したがって、表示装置１においては、シャーシプレート９側に搭載された回路ユニット基板８の交換或いは表示パネルユニット２のバックライトユニットの交換等の保守作業が、大きな重量でかつ大型の表示パネルユニット２の取外し操作を不要として簡易に行うことが可能である。
【００６１】
ところで、表示装置１においては、上述した小型の表示パネルユニット２ＳＳ又は大型の表示パネルユニット２ＬＬを備える小型の表示装置１ＳＳと大型の表示装置１ＬＬが、高さ寸法と横方向の長さ寸法を異にするベゼルユニット５ＳＳ、５ＬＬを備えることになる。表示装置１ＳＳ、１ＬＬは、スピーカユニット７Ｌ、７Ｒを共通部品として使用する場合に、表示パネルユニット２の両側に配置されてベゼルユニット５とシャーシプレート９とにより組み合わされるこれらスピーカユニット７Ｌ、７Ｒの取付位置も調整する必要が生じる。なお、表示装置１においては、例えばスピーカユニット７が装置本体部３とは別筐体で構成されたり、外部スピーカを利用する場合或いは共通部品として使用しない場合等においては、かかる取付位置の調整が不要となる。
【００６２】
スピーカユニット７は、詳細を省略するが、高音用スピーカと中音用スピーカと低音用スピーカを高さ方向に並べてスピーカボックス内に収納して構成する。スピーカユニット７は、スピーカボックスに適宜の取付部が設けられており、これら取付部を介してベゼルユニット５のベゼル１７とシャーシプレート９との間に跨って組み合わされる。スピーカユニット７は、スピーカボックスの外側部に形成した取付部をベゼル１７に固定した状態で、スピーカブラケット部材２０Ｌ、２０Ｒを用いてシャーシプレート９に内側部を固定することにより小型の表示装置１ＳＳと大型の表示装置１ＬＬに共通して用いられる。
【００６３】
スピーカブラケット部材２０は、合成樹脂材或いは金属ダイキャストにより図１２に示すように平面形状が５角形の略ホームベース形状を呈し、底面部３２の上面に多数の補強リブ部３３を格子状に配列して一体に立設することにより所定の機械的強度を有して形成される。スピーカブラケット部材２０には、同図（Ａ）に示すように底面部３２の頂点の近傍部位にベゼル１７の取付フランジ部に形成したスタッドに固定されるスピーカ固定スタッド３４が一体に立設される。
【００６４】
スピーカブラケット部材２０には、スピーカ固定スタッド３４と対向して底面部３２に上述したシャーシプレート９の第１スピーカ取付部２６に固定されるシャーシプレート固定部３５を構成する第１シャーシプレート固定孔３６と第２シャーシプレート固定孔３７が形成される。スピーカブラケット部材２０は、第１シャーシプレート固定孔３６と第２シャーシプレート固定孔３７がスピーカ固定スタッド３４に対して同一線上に位置しかつその間隔を異にして形成される。スピーカブラケット部材２０は、第１シャーシプレート固定孔３６と第２シャーシプレート固定孔３７を、その間隔が小型の表示パネルユニット２ＳＳと大型の表示パネルユニット２ＬＬの長さ寸法差の１／２に設定して形成する。
【００６５】
第１シャーシプレート固定孔３６は、図１２（Ｂ）に示すように取付スタッド３４に近い位置で底面部３２に貫通された取付孔からなり、小型の表示装置１ＳＳにおいて選択されてスピーカブラケット部材２０がシャーシプレート９に固定されるようにする。また、第２シャーシプレート固定孔３７は、同図（Ａ）に示すようにスピーカ固定スタッド３４と対向する外側補強リブ部３３Ａの側面から突出して底面部３２に形成された凸部３８に形成される。第２シャーシプレート固定孔３７は、大型の表示装置１ＬＬにおいて選択されてスピーカブラケット部材２０がシャーシプレート９に固定されるようにする。
【００６６】
なお、スピーカブラケット部材２０については、上述した構成に限定されないことは勿論である。スピーカブラケット部材２０は、スピーカユニット７側に固定される適宜のスピーカ固定部と、このスピーカ固定部を基準として、小型の表示パネルユニット２ＳＳと大型の表示パネルユニット２ＬＬとに対応して選択される適宜の第１シャーシプレート固定部と第２シャーシプレート固定部とが形成されればよい。また、スピーカブラケット部材２０は、シャーシプレート９側の固定部を基準として、スピーカユニット７側の固定部を小型の表示パネルユニット２ＳＳと大型の表示パネルユニット２ＬＬとに対応して選択される適宜の第１スピーカ固定部と第２スピーカ固定部によって構成してもよい。
【００６７】
表示装置１においては、上述したようにベゼルユニット５にシャーシプレート９が組み合わされ、このシャーシプレート９とベゼルユニット５に跨ってスピーカユニット７がスピーカブラケット部材２０を介して組み合わされる。表示装置１においては、スピーカユニット７が、スピーカボックスの外側部に設けた取付部をベゼルユニット５の側方枠部に固定されるとともに内側部に設けた取付部３９をスピーカブラケット部材２０に固定して組み合わせる。
【００６８】
表示装置１においては、スピーカユニット７が、小型の表示装置１ＳＳと大型の表示装置１ＬＬとでシャーシプレート９との間隔を異にする。表示装置１においては、スピーカブラケット部材２０が、シャーシプレート固定部３５の第１シャーシプレート固定孔３６と第２シャーシプレート固定孔３７を選択されてシャーシプレート９に固定される。表示装置１においては、小型の表示装置１ＳＳと大型の表示装置１ＬＬとでシャーシプレート９とスピーカブラケット部材２０が共通部品として用いられる。
【００６９】
小型の表示装置１ＳＳにおいては、スピーカブラケット部材２０がスピーカユニット７に対して図１３に示すように、スピーカ固定スタッド３４をスピーカユニット７側の取付部３９と位置合わせして取付ねじをねじ込むことにより固定される。小型の表示装置１ＳＳにおいては、スピーカブラケット部材２０が、この状態でシャーシプレート固定部３５がその第１シャーシプレート固定孔３６をシャーシプレート９側の第１スピーカ取付部２６に対向位置される。
【００７０】
小型の表示装置１ＳＳにおいては、第１シャーシプレート固定孔３６に嵌挿した取付ねじを第１スピーカ取付部２６の取付孔にねじ込むことにより、スピーカブラケット部材２０がシャーシプレート９に対して固定される。したがって、小型の表示装置１ＳＳにおいては、上述したように外側部をベゼルユニット５に固定されたスピーカユニット７がその内側部をスピーカブラケット部材２０を介してシャーシプレート９に対して固定される。
【００７１】
一方、大型の表示装置１ＬＬにおいても、スピーカブラケット部材２０がスピーカユニット７に対して図１４に示すように、スピーカ固定スタッド３４をスピーカユニット７側の取付部３９と位置合わせして取付ねじをねじ込むことにより固定される。大型の表示装置１ＬＬにおいては、スピーカブラケット部材２０が、この状態でシャーシプレート固定部３５がその第２シャーシプレート固定孔３７をシャーシプレート９側の第１スピーカ取付部２６に対向位置される。
【００７２】
大型の表示装置１ＬＬにおいては、第２シャーシプレート固定孔３７に嵌挿した取付ねじを第１スピーカ取付部２６の取付孔にねじ込むことにより、スピーカブラケット部材２０がシャーシプレート９に対して固定される。したがって、大型の表示装置１ＬＬにおいても、上述したように外側部をベゼルユニット５に固定されたスピーカユニット７がその内側部をスピーカブラケット部材２０を介してシャーシプレート９に対して固定される。
【図面の簡単な説明】
【００７３】
【図１】実施の形態として示す透過型液晶表示装置の斜視図である。
【図２】上記表示装置の背面斜視図である。
【図３】上記表示装置の要部分解斜視図である。
【図４】バックカバーを取り外して内部構造を示した小型表示パネルユニットを搭載した表示装置の背面図である。
【図５】表示パネルユニットの背面斜視図である。
【図６】表示パネルユニットの支持部材を構成するシャーシプレートとトップブラケット部材の斜視図である。
【図７】小型表示パネルユニットを搭載した表示装置の要部斜視図である。
【図８】上記表示装置におけるシャーシプレートとトップブラケット部材の組合せ部位を示す要部斜視図である。
【図９】バックカバーを取り外して内部構造を示した大型表示パネルユニットを搭載した表示装置の背面図である。
【図１０】上記表示装置の要部斜視図である。
【図１１】上記表示装置におけるシャーシプレートとトップブラケット部材の組み合わせ部位を示す要部斜視図である。
【図１２】スピーカブラケット部材を示し、同図（Ａ）は上面側斜視図、同図（Ｂ）は底面側斜視図である。
【図１３】小型表示パネルユニットを搭載した表示装置におけるシャーシプレートとスピーカユニットの組合せ部位を示す要部背面図である。
【図１４】大型表示パネルユニットを搭載した表示装置におけるシャーシプレートとスピーカユニットの組合せ部位を示す要部背面図である。
【符号の説明】
【００７４】
１  表示装置、２  表示パネルユニット、２ＳＳ  小型表示パネルユニット、２ＬＬ  大型表示パネルユニット、３  装置本体部、４  スタンド部、５  ベゼルユニット、５Ａ  表示開口部、５Ｄ  下方枠部、５Ｕ上方枠部、６  バックカバー、７  スピーカユニット、８  回路ユニット基板、９  シャーシプレート、１０  トップブラケット部材、１１  ステー、１２  ベースプレート、１５  シャーシプレート取付部、１７  ベゼル、２０  スピーカブラケット部材、２２  ステー取付部、２３  切欠き、２４  表示パネル取付部、２５  トップブラケット取付部、２６  第１スピーカ取付部、２８  下部係合部、２９  第１取付部、２９ＳＳ  下個別取付部、２９ＬＬ  上個別取付部、３０  第２取付部、３４  スピーカ固定スタッド、３５  シャーシプレート固定部、３６  第１シャーシプレート取付孔、３７  第２シャーシプレート取付孔
【図１】
2007334244.tif 000003
【図２】
2007334244.tif 000004
【図３】
2007334244.tif 000005
【図４】
2007334244.tif 000006
【図５】
2007334244.tif 000007
【図６】
2007334244.tif 000008
【図７】
2007334244.tif 000009
【図８】
2007334244.tif 000010
【図９】
2007334244.tif 000011
【図１０】
2007334244.tif 000012
【図１１】
2007334244.tif 000013
【図１２】
2007334244.tif 000014
【図１３】
2007334244.tif 000015
【図１４】
2007334244.tif 000016